(57)【要約】【課題】防水パッキンを用いずとも、防水性を高めることができるとともに、器具内の通気性を高めることのできる防水構造を提供する。【解決手段】内側立下部１１５ｂは、外郭立下部１１５ａよりも内側で起立する。また内側立下部１１５ｂは、外郭立下部１１５ａの起立方向に外郭立下部１１５ａの先端部１１５ａ−１よりも低い位置まで起立して外郭立下部１１５ａと共に凹形状を形成する。内側立上部２３０ｂは、外郭立上部２３０ａよりも内側で起立する。また、内側立上部２３０ｂは、外郭立上部２３０ａの起立方向に外郭立上部２３０ａの先端部２３０ａ−１よりも高い位置まで起立して外郭立上部２３０ａと共に凹形状を形成する。このとき内側立下部１１５ｂの先端部１１５ｂ−１は、外郭立上部２３０ａと内側立上部２３０ｂとが起立する根元部分である凹形状の底部２３０ｃに当接する。【選択図】図３
2014060034.tif 000002
【特許請求の範囲】
【請求項１】
光源と、前記光源を点灯する光源点灯装置とが取り付けられる器具本体ケースと、
前記器具本体ケースに取り付けられて、前記光源と前記光源点灯装置とを収納する内部空間を前記器具本体ケースと共に形成するカバーと
を備えた照明器具において、
前記器具本体ケースは、
前記カバーが取り付けられる周枠部分の全周にわたって形成された凹形状の溝部であるケース側溝部を備え、
前記カバーは、
前記器具本体ケースが取り付けられる周枠部分の全周にわたって形成された凹形状の溝部であるカバー側溝部を備え、
前記ケース側溝部は、
前記周枠部分の全周にわたって起立するケース外側起立部と、前記周枠部分の全周にわたって前記ケース外側起立部よりも内側で起立し、かつ、前記ケース外側起立部の起立方向に前記ケース外側起立部の先端部よりも低い位置まで起立して前記ケース外側起立部と共に前記凹形状を形成するケース内側起立部とを有し、
前記カバー側溝部は、
前記周枠部分の全周にわたって起立するカバー外側起立部と、前記周枠部分の全周にわたって前記カバー外側起立部よりも内側で起立し、かつ、前記カバー外側起立部の起立方向に前記カバー外側起立部の先端部よりも高い位置まで起立して前記カバー外側起立部と共に前記凹形状を形成するカバー内側起立部とを有し、
前記ケース内側起立部は、
前記カバー外側起立部と前記カバー内側起立との間に嵌まり込み、
前記ケース内側起立部の先端部は、
前記カバー外側起立部と前記カバー内側起立部とが起立する根元部分である前記凹形状の底部に当接し、
前記カバー外側起立部は、
前記ケース外側起立部と前記ケース内側起立との間に嵌まることを特徴とする照明器具。
【請求項２】
前記器具本体ケースは、
前記周枠部分の全周のうちの所定の箇所の近傍に、前記照明器具が取り付けられる対象となる取付対象物に前記照明器具を固定する固定具が取り付けられる固定具取付部を備え、
前記カバー内側起立部は、
前記固定具取付部に近づくほど、前記凹形状の底部から先端部までの高さが高くなる高さ変化部を有することを特徴とする請求項１記載の照明器具。
【請求項３】
前記照明器具は、さらに、
前記固定具を備えると共に、
前記固定具は、
平板の両側が折り曲げられた形状であり、
第１の側面をなし、前記両側に対して中央の平板部分である第１の側板部と、
前記両側のうちの一方側であって、第２の側面をなすと共に前記第２の側面の略高さ方向に雄ネジが貫通する複数の貫通穴が開けられた第２の側板部と、
前記両側のうちの他方側であって、第３の側面をなすと共に前記第２の側面の高さ方向と略同じ方向である前記第３の側面の高さ方向に雄ネジが貫通する複数の貫通穴が開けられた第３の側板部と
を備え、
前記器具本体ケースの前記固定具取付部は、
前記第２の側板部の前記複数の貫通穴と、前記第３の側板部の前記複数の貫通穴とを貫通した複数の雄ネジを受ける複数の雄ネジ受け部であって、前記第２の側板部の前記複数の貫通穴と、前記第３の側板部の前記複数の貫通穴とに対応して形成された複数の雄ネジ受け部を備え、
前記器具本体ケースは、
前記第２の側板部の前記複数の貫通穴の方向に延びると共に前記第２の側板部の厚みが現れた端面が当接する平坦な第１の平坦部と、前記第３の側板部の前記複数の貫通穴の方向に延びると共に前記第３の側板部の厚みが現れた端面が当接する平坦な第２の平坦部と
を備えたことを特徴とする請求項２記載の照明器具。
【請求項４】
前記器具本体ケースは、
外側表面から前記内部空間の方向に凹む凹形状をなすと共に、前記凹形状の底部の反対側となる前記内部空間の側に平坦部を有する凹部を有し、
前記照明器具は、
一方の面である実装面に前記光源が実装され、他方の面である裏面が前記凹部の前記平坦部に熱的に接続する光源基板を備えことを特徴とする請求項２〜３のいずれかに記載の照明器具。
【請求項５】
前記器具本体ケースの前記凹部は、
前記凹形状の底部の表面が凸形状であることを特徴とする請求項４記載の照明器具。
【請求項６】
前記器具本体ケースの前記凹部は、
前記底部から前記外側表面につながる斜面が形成され、
前記照明器具は、
前記固定具によって前記取付対象物に取り付けられたときに、前記凹部の前記斜面のうち前記底部から前記固定具の方向に向かう部分は、水平面に対して前記固定具の側が下がることを特徴とする請求項５記載の照明器具。
【請求項７】
前記カバーは、
前記固定具取付部の近傍に水抜き穴が形成されたことを特徴とする請求項２〜６のいずれかに記載の照明器具。
【発明の詳細な説明】
【技術分野】
【０００１】
この発明は、例えば屋外で使用される防犯灯のような照明器具の防水構造に関し、防水パッキンを使用しない防水構造に関する。
【背景技術】
【０００２】
従来の防犯灯は、防水性を保つため、カバーと本体間で防水パッキンを用いた防水構造としている。（例えば、特許文献１参照。）
【０００３】
また、防水パッキンを用いずに、カバーと本体との嵌合と、本体側に水抜き穴を設けた防水構造がある。（例えば、特許文献２、３参照。）
【０００４】
また、器具内部の急激な圧力上昇に対応するように、器具内の気密空間部を外部に連通可能な通気孔を設けた照明器具がある。（例えば、特許文献４参照。）
【先行技術文献】
【特許文献】
【０００５】
【特許文献１】特開２００９−１５２１６９号公報（段落「００５４」参照。）
【特許文献２】特開平８−１６１９２１号公報
【特許文献３】特開２００９−４３３１号公報
【特許文献４】特開２０１０−９９５９号公報
【発明の概要】
【発明が解決しようとする課題】
【０００６】
しかしながら、パッキンの弾力性の影響もあって、防犯灯を電柱などに取り付ける際、取り付け性が必ずしも良くなかった。
【０００７】
また、ランプの点灯時と消灯時とでは器具内の温度が異なり、ランプを点灯して器具内が高温状態となったあとにランプを消灯して器具内の温度が低下したとき、空気の吸い込みによる水の浸入の恐れがあった。
【０００８】
また、灯具本体の付け根部分を、取付金具で挟み込むように取り付けると、取付金具を灯具本体に固定するネジ部にせん断応力がかかり、ネジ部が折れるという課題があった。
本発明は、防水パッキンを用いずとも防水性を確保できるとともに、器具内の適度な通気性を得ることができる照明器具の提供を目的とする。
【課題を解決するための手段】
【０００９】
この発明の照明器具は、
光源と、前記光源を点灯する光源点灯装置とが取り付けられる器具本体ケースと、
前記器具本体ケースに取り付けられて、前記光源と前記光源点灯装置とを収納する内部空間を前記器具本体ケースと共に形成するカバーと
を備えた照明器具において、
前記器具本体ケースは、
前記カバーが取り付けられる周枠部分の全周にわたって形成された凹形状の溝部であるケース側溝部を備え、
前記カバーは、
前記器具本体ケースが取り付けられる周枠部分の全周にわたって形成された凹形状の溝部であるカバー側溝部を備え、
前記ケース側溝部は、
前記周枠部分の全周にわたって起立するケース外側起立部と、前記周枠部分の全周にわたって前記ケース外側起立部よりも内側で起立し、かつ、前記ケース外側起立部の起立方向に前記ケース外側起立部の先端部よりも低い位置まで起立して前記ケース外側起立部と共に前記凹形状を形成するケース内側起立部とを有し、
前記カバー側溝部は、
前記周枠部分の全周にわたって起立するカバー外側起立部と、前記周枠部分の全周にわたって前記カバー外側起立部よりも内側で起立し、かつ、前記カバー外側起立部の起立方向に前記カバー外側起立部の先端部よりも高い位置まで起立して前記カバー外側起立部と共に前記凹形状を形成するカバー内側起立部とを有し、
前記ケース内側起立部は、
前記カバー外側起立部と前記カバー内側起立との間に嵌まり込み、
前記ケース内側起立部の先端部は、
前記カバー外側起立部と前記カバー内側起立部とが起立する根元部分である前記凹形状の底部に当接し、
前記カバー外側起立部は、
前記ケース外側起立部と前記ケース内側起立との間に嵌まることを特徴とする。
【発明の効果】
【００１０】
本発明によれば、防水パッキンを用いずとも防水性を確保できるとともに、器具内の適度な通気性を得ることができる。
【図面の簡単な説明】
【００１１】
【図１】実施の形態１の照明器具１０００を示す斜視図。
【図２】実施の形態１の照明器具１０００の側面図（ａ）及び上面図（ｂ）等を示す図。
【図３】図２（ｂ）のＸ−Ｘ断面に対応する図であって、器具本体ケース１１０と、カバー２００との組み付け状態を示す図。
【図４】実施の形態１の照明器具１０００の分解斜視図である。
【図５】実施の形態１の照明器具１０００の６面図（左側面は省力）。
【図６】図５の背面図（ｅ）から固定具３００を取り外した図。
【図７】実施の形態１の照明器具１０００の分解斜視図。
【図８】実施の形態１のカバー２００の正面図等を示す図。
【図９】実施の形態１のカバー２００の背面図（図７（ａ）のＸ方向矢視）。
【図１０】図８のカバー２００のＡ−Ａ断面、Ｃ−Ｃ断面、Ｆ−Ｆ断面の各断面図。
【図１１】実施の形態１の固定具３００の斜視図。
【図１２】実施の形態１の固定具３００の６面図。
【図１３】実施の形態１の他の固定具３００の例を示す正面図及び上面図。
【図１４】実施の形態１の照明器具１０００の構造を示す断面図。
【図１５】図１４のＣ−Ｃ断面、Ｄ−Ｄ断面の各断面図。
【発明を実施するための形態】
【００１２】
実施の形態１．
以下、図１〜図１５を参照して実施の形態１の照明器具１０００を説明する。
図１は、照明器具１０００の斜視図である。図２は、照明器具１０００の側面図（ａ）及び上面図（ｂ）であり、（ｃ）については後述する。なお図２（ａ），（ｂ）は、照明器具１０００の実際の使用状態を示している。図３は、図２（ｂ）のＸ−Ｘ断面に対応する図であり、（ａ）は器具本体ケース１１０と、カバー２００との組み付け状態を示し、（ｂ）は後述する器具側当接部１１５、カバー側当接部２３０の構造を示す。図４は、照明器具１０００の分解斜視図であり、器具本体１００（器具本体ケース１１０）へ固定具３００を雄ネジ４１０で取り付けることを示す図である。図５は、照明器具１０００の６面図である（右側面図は省略）。（ａ）〜（ｄ）は、順に、上面図、左側面図、底面図、正面図、背面図である。なお右側面図は左側面図と同等であるので省略した。図６は、図５の背面図（ｅ）から固定具３００を取り外した図である。図７は、照明器具１０００の分解斜視図である。図８は、カバー２００の（ａ）〜（ｄ）の順に、右側面図、上面図、正面図、背面図であり、（ｅ）は（ｂ）のＡ−Ａ断面図である。正面図等を示す図である。図９は、カバー２００の背面図（図７（ａ）のＸ方向矢視）である。図１０は、図８のカバー２００のＡ−Ａ断面、Ｃ−Ｃ断面、Ｆ−Ｆ断面の各断面図である。図１１は、固定具３００の斜視図である。図１２は、固定具３００の６面図である。（ａ）〜（ｄ）は、順に、底面図、背面図、上面図、正面図、右側面図、左側面図である。図１３は、固定具３００の他の例を示す正面図及び上面図である。図１４は、照明器具１０００の構造を示す図であり、（ａ）は切断面を示し、（ｂ）は（ａ）のＢ−Ｂ断面の断面図である。図１５は、図１４のＣ−Ｃ断面、Ｄ−Ｄ断面の各断面図である。
【００１３】
照明器具１０００（例えば防犯灯）は、図１に示すように、器具本体１００と、この器具本体１００の発光面を覆うカバー２００と、器具本体１００を電柱、ポールなどの被取付部２０００に固定する固定具３００からなる。
【００１４】
（器具本体１００の構成）
図７のように、器具本体１００は、器具本体ケース１１０と、取付金具１２０と、光源モジュールユニット１３０と、点灯装置ユニット１４０と、自動点滅ユニット１５０と、口出し線パッキン１６０とを備える。
（１）器具本体ケース１１０は、長方形状の一面が開口する箱体からなる。
（２）取付金具１２０は、器具本体ケース１１０に取り付けられ、階段状に折り曲げられた形状をなす。
（３）光源モジュールユニット１３０は、取付金具１２０に取り付けられる。
（４）点灯装置ユニット１４０は、器具本体ケース１１０と取付金具１２０との間に収納され、光源モジュールユニット１３０を点灯する。
（５）自動点滅ユニット１５０は、外部の明るさを検出し、点灯装置ユニット１４０の動作を開始させ、あるいは動作を停止させる。
（６）口出し線パッキン１６０は、器具本体１００の内側から電線を引き出すとともに防水性を保つ。
【００１５】
（器具本体ケース１１０）
図２及び図７等のように、
器具本体ケース１１０は、天面１１１（図２（ｂ））、壁部１１２（図７）、凹部１１３（図２（ｂ））、固定具取付部１１４（図４）、器具側当接部１１５（図３（ｂ））が形成されている。
（１）壁部１１２は、天面１１１の周囲から立ち下がる壁である。なお、「立ち下がる」とするのは、図２（ａ）に示すように、使用状態ではカバー２００に対して器具本体ケース１１０が上側となるので使用状態を基準にすると「立ち下がる」からである。
（２）凹部１１３は、天面１１１に形成され、外郭（外側表面１１１−１）から内側に窪んでいる。
（３）固定具取付部１１４は周囲をとりまく４面の壁部１１２のうちの１つに形成され、固定具３００が取り付けられる、
（４）器具側当接部１１５は、４つ（４面）の壁部１１２の先端（後述の周枠部分）に器具本体１００（器具本体ケース１１０）の全周にわたって、断面「コ」の字状に形成される（「コ」の字を左に９０度回転させたような形状）。
【００１６】
（器具側当接部１１５）
図３（ｂ）のように、器具側当接部１１５は、器具本体１００の外郭を形成する外郭立下部１１５ａと、器具本体１００の内側の内側立下部１１５ｂからなる。後に詳しく説明するが、外郭立下部１１５ａの長さは、器具本体１００の内側の内側立下部１１５ｂの長さよりも長い。
【００１７】
（光源モジュールユニット１３０）
図７のように、光源モジュールユニット１３０は、絶縁板１３１と、ＬＥＤ基板１３２と、レンズ１３３と、放熱クリップ１３４とからなる。
【００１８】
（点灯装置ユニット１４０）
点灯装置ユニット１４０は、一面が開口した箱状の点灯装置ケース１４１と、点灯装置ケース１４１に収納される点灯装置基板１４２とを有する。
【００１９】
（自動点滅ユニット１５０）
自動点滅ユニット１５０は、中空箱状の自動点滅ユニットカバー１５１と、自動点滅ユニットカバー１５１に内蔵される自動点滅基板１５２と、自動点滅ユニットカバー１５１を器具本体ケース１１０に取り付けるための自動点滅ユニット取付部１５３を有する。
【００２０】
図８、図９等を参照してカバー２００を説明する。カバー２００は、長方形状の透光面２１０（図８（ａ））と、透光面２１０から立ち上がる４つの側面２２０（図５（ｂ））と、側面２２０の先端に、カバー２００の開口部分の全周にわたって、断面「コ」の字状に形成されるカバー側当接部２３０（図３）と、透光面２１０の長手方向の一端側に凸状に形成される水抜き凸部２４０（図１）とを備える。
【００２１】
（カバー側当接部２３０）
カバー側当接部２３０は、図３に示すように、カバー２００の外側に形成される外郭立上部２３０ａと、カバー２００の内側に形成される内側立上部２３０ｂからなる。内側立上部２３０ｂの長さは、外郭を形成する外郭立上部２３０ａの長さよりも長い。これについては後述する。
【００２２】
（器具側当接部１１５とカバー側当接部２３０との嵌合関係）
器具側当接部１１５とカバー側当接部２３０との嵌合関係を詳しく説明する。照明器具１０００は、図１のように器具本体ケース１１０と、カバー２００とを備えている。図７のように、器具本体ケース１１０は、ＬＥＤ１３２ａ（光源）が実装されたＬＥＤ基板１３２と、ＬＥＤ１３２ａを点灯する点灯装置ユニット１４０（光源点灯装置）と、自動点滅ユニット１５０（光源点灯装置）とが取り付けられる。カバー２００は、器具本体ケース１１０に取り付けられて、ＬＥＤ１３２ａと点灯装置ユニット１４０等を収納する内部空間１００１（図１４）を器具本体ケース１１０と共に形成する。
【００２３】
器具本体ケース１１０は、カバー２００が取り付けられる周枠部分１１０−１の全周にわたって形成された凹形状の溝部である器具側当接部１１５（ケース側溝部）を備える。ここで周枠部分１１０−１とは、図７に矢印で示す矢印先端の部分であり、図２（ｂ）でみたときに、Ａ，Ｂ、Ｃ，Ｄ，Ａの全周である。また、カバー２００は、器具本体ケース１１０が取り付けられる周枠部分２００−１の全周にわたって形成された凹形状の溝部であるカバー側当接部２３０（カバー側溝部）を備える。ここで周枠部分２００−１とは、図８に矢印で示す矢印先端の部分であり、図２（ｂ）でみたときに、Ａ，Ｂ、Ｃ，Ｄ，Ａの全周である。
【００２４】
図３を参照して器具側当接部１１５、カバー側当接部２３０を説明する。図３は、図２（ｂ）のＸ−Ｘ断面に対応する図である。図３（ａ）は器具本体ケース１１０と、カバー２００との実際の組み付け状態を示す。図３（ｂ）は器具側当接部１１５及びカバー側当接部２３０の構造を示すための便宜的な図である。図３（ｂ）に示すように、器具側当接部１１５は、外郭立下部１１５ａ（ケース外側起立部）と、内側立下部１１５ｂ（ケース内側起立部）とを有する。外郭立下部１１５ａは、周枠部分１１０−１の全周にわたって起立する。内側立下部１１５ｂは、周枠部分１１０−１の全周にわたって外郭立下部１１５ａよりも内側で起立する。また内側立下部１１５ｂは、外郭立下部１１５ａの起立方向に外郭立下部１１５ａの先端部１１５ａ−１よりも低い位置まで起立して外郭立下部１１５ａと共に凹形状を形成する。つまり、外郭立下部１１５ａの先端部１１５ａ−１は、内側立下部１１５ｂの先端部１１５ｂ−１よりも、長く起立している。つまり、図３（ｂ）のように、先端部１１５ａ−１の位置は、先端部１１５ｂ−１の位置よりも△Ｈ１だけ長い。また図３（ｂ）に示すように、カバー側当接部２３０は、外郭立上部２３０ａ（カバー外側起立部）と、内側立上部２３０ｂ（カバー内側起立部）とを有する。外郭立上部２３０ａは、周枠部分２００−１の全周にわたって起立する。内側立上部２３０ｂは、周枠部分２００−１の全周にわたって外郭立上部２３０ａよりも内側で起立する。また、内側立上部２３０ｂは、外郭立上部２３０ａの起立方向に外郭立上部２３０ａの先端部２３０ａ−１よりも高い位置まで起立して外郭立上部２３０ａと共に凹形状を形成する。つまり、内側立上部２３０ｂの先端部２３０ｂ−１は、外郭立上部２３０ａの先端部２３０ａ−１よりも長く起立している。つまり、図３（ｂ）のように、先端部２３０ｂ−１の位置は、先端部２３０ａ−１の位置よりも△Ｈ２だけ長い．
【００２５】
図３（ａ）に示すように内側立下部１１５ｂは、外郭立上部２３０ａと内側立上部２３０ｂとの間に嵌まり込む。このとき内側立下部１１５ｂの先端部１１５ｂ−１は、外郭立上部２３０ａと内側立上部２３０ｂとが起立する根元部分である凹形状の底部２３０ｃに当接する。また図３（ａ）に示すように外郭立上部２３０ａは、外郭立下部１１５ａと内側立下部１１５ｂとの間に嵌まる。このとき、器具側当接部１１５の底部１１５ｃと、外郭立上部２３０ａの先端部２３０ａ−１との間には、若干の隙間があいている。
【００２６】
このように、カバー側当接部２３０の内側立上部２３０ｂの長さを、外郭立上部２３０ａの長さよりも長くした。このことによって、長さの短い外郭立上部２３０ａと長さの長い内側立上部２３０ｂとの間に雨水が溜まったときには、先に、外郭立上部２３０ａの先端部２３０ａ−１と底部１１５ｃとの間から雨水が流れ落ちる。よって、長さの長い内側立上部２３０ｂの先端部２３０ｂ−１を乗り越えて器具本体１００の内部（内部空間１００１）に雨水が侵入しにくくなる効果を得られる。また、先端部１１５ａ−１の位置を先端部１１５ｂ−１の位置よりも△Ｈ１だけ長い位置（高く）にしたので、外郭立下部１１５ａによって雨水が溝（底部２３０ｃ）に入りにくい効果がある。
【００２７】
以上のように図３の構成としたので、防水性を維持しつつ適度の通気性を得ることができるので、防水パッキンを使用して密封性が高まることによって生じる、ランプ消灯時の器具内の温度が低下に伴う、空気の吸い込みによる水の浸入の恐れを回避できる。
【００２８】
器具本体ケース１１０は、周枠部分１１０−１の全周のうちの所定の箇所の近傍に、固定具取付部１１４（図４）を備える。固定具取付部１１４は、照明器具１０００が取り付けられる対象となる電柱などの被取付部２０００に照明器具１０００を固定する固定具３００が取り付けられる。内側立上部２３０ｂは、固定具取付部１１４に近づくほど、凹形状の底部２３０ｃから先端部２３０ｂ−１までの高さが高くなる高さ変化部２３０ｂ−２（図８のＡ部）を有する。
【００２９】
つまり、図８（ｅ）に示すように、内側立上部２３０ｂのうち、器具本体１００の被取付部２０００側の内側立上部２３０ｂ（図８（ｅ）のＡ部）の起立長さを長く（起立高さを高く）する。この長さの違いを図１０（ｂ）、（ｃ）に示した。図１０（ｂ）は高さ変化部２３０ｂ−２ではないＢ部（図８（ｃ））の断面である。図１０（ｃ）は高さ変化部２３０ｂ−２のＡ部（図８（ｃ））の断面である。図１０（ｂ）、（ｃ）の対比でわかるように、高さ変化部２３０ｂ−２の内側立上部２３０ｂの長さ（高さ）は、高さ変化部２３０ｂ−２ではない内側立上部２３０ｂの長さよりも長い。
【００３０】
高さ変化部２３０ｂ−２の内側立上部２３０ｂの長さを長くする構成によって、器具本体１００の上部（図８（ｅ）中のＢ部）側から流れてきた雨水も器具本体１００の内部に侵入しにくくなる。つまり、実際の取り付け状態は、図２（ａ）に示すように先端位置が高く、取り付け側の後端位置が低くなり、カバー側当接部２３０の外郭立上部２３０ａと内側立上部２３０ｂとの間の凹部（溝）にたまった水は、図１０（ａ）に示す矢印Ｘの方向に流れる。この場合、取り付け状態では後端側に水がたまり易くなるが、後端側（図８（ｅ）のＡ部）の内側立上部２３０ｂを長くすることで、取付側である後端側における内部空間１０００１への水の浸入の防止効果を向上できる。
【００３１】
したがって、器具本体１００の被取付部２０００側と上部側（取り付け側に対して先端側）とで内側立上部２３０ｂの長さ（起立高さ）を変えることによって、器具本体ケース１１０とカバー２００との間に防水パッキンを設けなくても、照明器具１０００の内部に雨水が入るのを効果的に防止できる。なお、上記では「固定具取付部１１４に近づくほど、凹形状の底部２３０ｃから先端部２３０ｂ−１までの高さが高くなる高さ変化部２３０ｂ−２」を説明したが、固定具取付部１１４に近づくほど、凹形状の底部２３０ｃから先端部２３０ｂ−１までの高さが高くなる場合のほか、照明器具の先端部（図８のＢ部の側）よりも固定具取付部１１４の側である後端側（図８のＡ部の側）において、底部２３０ｃから先端部２３０ｂ−１までの高さを高くすればよい。つまり「近づくほど」でなくともよい。
【００３２】
（水抜き凸部２４０）
図１に示すように、水抜き凸部２４０は、三角状に突出する三角凸部２４１（図１に示すように、２つの平面２４１ａ，２４１ｂで構成される）と、三角凸部２４１の側面に形成される２つの三角側面２４２とを有する。三角凸部２４１は、一面（図１では平面２４１ｂ側）に水抜き穴２４３を有する。水抜き穴２４３を有する平面２４１ｂは、照明器具１０００が電柱などの被取付部２０００に取り付けられた際、地面に対して水平になる（図２（ａ））。
【００３３】
このように、水抜き凸部２４０に水抜き穴２４３を設けることで、万が一、照明器具１０００内に水が入ったとしても水抜き穴２４３から排水されるので、照明器具１０００内に水が充満するまで浸水することがない。
【００３４】
また、器具側当接部１１５とカバー側当接部２３０との間で通気させるとともに、水抜き穴２４３でも通気させることができる。
【００３５】
（凹部１１３とＬＥＤ基板１３２）
図２（ｂ）、図７、図１４等に示すように、器具本体ケース１１０の天面１１１に形成された凹部１１３は、天面１１１の外側表面１１１−１（図１４）から内部空間１００１の方向に凹む凹形状をなす。凹部１１３は、図１５（ａ）に示すように、この凹形状の底部１１３−１の反対側となる内部空間１００１の側に平坦部１１３−２を有する。また図７に示すように、ＬＥＤ基板１３２の実装面１３２−１には複数のＬＥＤ１３２ａが実装されている。そして、図１５（ａ）に示すようにＬＥＤ基板１３２の裏面１３２−２が、凹部１１３の平坦部１１３−２に熱的に接続する。ここで「熱的に接続する」とは、ＬＥＤ基板１３２の裏面１３２−２が直接凹部１１３の平坦部１１３−２に接触して熱を伝える場合と、図７に示すように裏面１３２−２が絶縁板１３１、取付金具１２０等を介して平坦部１１３−２に熱を伝える場合の両方を含む意味である。ＬＥＤ基板１３２の裏面１３２−２が、凹部１１３の平坦部１１３−２に熱的に接続することで、ＬＥＤ基板１３２に発生した熱を器具本体ケース１１０から大気中に効果的に放熱することができるので、照明器具１０００の放熱性が向上する。
【００３６】
（凹部１１３の底部１１３−１の表面形状）
図１５（ａ−１）は、図１５（ａ）における底部１１３−１の底部表面１１３−１ａの形状を強調して描いた図である。図１５（ａ−１）に示すように、凹部１１３は、凹形をなす底部１１３−１の底部表面１１３−ａが、凸形状である。つまり図２（ｂ）のＺ方向にわたって、図１５（ａ−１）のように幅方向（Ｗ方向）の中央部分が盛り上がった形状である。従って、図２（ａ）のように電柱等の被取付部２０００に取り付けら得た使用状態において、雨水を位置１１３ｃ、１１３ｄ（図１５（ａ））に導くことができる。
【００３７】
また、図凹部１１３は、図１４（ａ）、（ｂ）に示すように、底部１１３−１から外側表面１１１−１につながる斜面１１３ｂが形成されている。照明器具１０００は、固定具３００によって電柱等の被取付部２０００に取り付けられたときに、凹部１１３の斜面１１３ｂのうち底部１１３−１から固定具３００の方向に向かう部分は、水平面１１３ｈに対して、固定具３００の側が下がる。つまり、図１４（ｂ）は、照明器具１０００が電柱等の被取付部２０００に取り付けられた使用状態を示しているが、使用状態では、水平面１１３ｈに対して斜面１１３ｂのうち底部１１３−１から固定具３００の方向（矢印１１３ｇ方向）に向かう部分は、θがゼロ度よりも大きい（つまり水平よりも下向きに傾斜している）。従って凹部１１３の底部１１３−１に雨水が存在するときには雨水は重力によって矢印１１３ｇ方向に流れ出るので、凹部１１３に雨水が溜まることを防止できる。
【００３８】
図１１は、固定具３００の斜視図であり、図１２は、固定具３００の６面図である。固定具３００は、電柱等の被取付部２０００に当接する当接面３１０ａを有する第１の側板部３１０と、当接面３１０ａの両側から折り曲げられて形成され、器具本体１００の側面（固定具取付部１１４）を把持するように取り付けられて雄ネジ４１０によって器具本体１００に固定される把持面３２０ａ，３３０ａを有する第２の側板部３２０、第３の側板部３３０と有する。固定具３００は、把持面３２０ａ，３３０ａの端部からさらに外方に向かって折り曲げられる。固定具３００は、両端を階段状に広がるように折り曲げて形成される。
【００３９】
固定具３００が広がった箇所（把持面３２０ａ，３３０ａ）に、器具本体１００を挟みこむように、ネジ止めして、固定具３００を器具本体１００に固定する。
【００４０】
固定具３００を詳しく説明する。図１１に示すように固定具３００は、平板の両側が折り曲げられた形状である。固定具３００は、第１の側板部３１０と、第２の側板部３２０と、第３の側板部３３０とを備えている。
（１）第１の側板部３１０は、第１の側面をなし、両側に対して中央の平板部分である。
（２）第２の側板部３２０は、折り曲げられる両側のうちの一方側であって、第２の側面をなすと共に第２の側面の略高さ方向に雄ネジ４１０が貫通する複数の貫通穴３０２が開けられている。第２の側板部３２０は、複数の貫通穴３０２の方向に延びると共に第２の側板部３２０の厚みが現れた端面３２０−１（図１１）を有する
（３）第３の側板部３３０は、折り曲げられる両側のうちの他方側であって、第３の側面をなすと共に第２の側面の高さ方向と略同じ方向である第３の側面の高さ方向に雄ネジ４１０が貫通する複数の貫通穴３０３が開けられている。第３の側板部３３０は、複数の貫通穴３０３の方向に延びると共に第３の側板部３３０の厚みが現れた端面３３０−１（図１１））を有する。
【００４１】
器具本体ケース１１０の固定具取付部１１４（図４）は、図１１に示す第２の側板部３２０の複数の貫通穴３０２と、第３の側板部３３０の複数の貫通穴３０３とを貫通した複数の雄ネジ４１０を受ける複数の雄ネジ受け部１１６であって、第２の側板部３２０の複数の貫通穴３０２と、第３の側板部３３０の複数の貫通穴３０３とに対応して形成された複数の雄ネジ受け部１１６を備える。
【００４２】
器具本体ケース１１０は、第２の側板部３２０の端面３２０−１が当接する平坦な第１の第１の平坦部１７１と、第３の側板部３３０の端面３３０−１が当接する平坦な第２の平坦部１７２（図２）とを備える。第２の平坦部１７２を説明する。図２（ａ）に示すように、実際には斜線部のように端部を延長する。斜線部の左端が図１１に示す端面３３０−１である。図２（ａ）では端面３３０−１と一致する線が第２の平坦部１７２を示す。つまり第２の平坦部１７２は図２（ａ）の紙面奥に向かう平面でる。図２（ｃ）は図２（ａ）のＸ方向矢視であり、端面３３０−１と第２の平坦部１７２との関係を示す図である。図２（ｃ）に示すように、端面３３０−１は第２の平坦部１７２に当接している。端面３３０−１及び第２の平坦部１７２とは反対側の、端面３２０−１と第１の平坦部１７１との関係も、端面３３０−１及び第２の平坦部１７２との関係と同様である。
【００４３】
固定具３００の端面支持面３２０ｂ、３３０ｂ（図１１）は、さらに折り曲げられて、端面３２０−１、端面３３０−１が器具本体ケース１１０の第１の平坦部１７１，第２の平坦部１７２の平面と面接触して、器具本体１００にカバー２００が取り付けられた照明器具１０００の荷重（及びモーメント）を支える。
【００４４】
つまり、照明器具１０００の使用状態は、図２（ａ）に示すように固定具３００に左右、各２本の雄ネジ４１０で取り付けられるが、この取付状態は、いわゆる片持梁の状態である。そこで固定具３００の先端部分（端面３２０−１、３３０−１）を、器具本体１００（器具本体ケース１１０）の第１の平坦部１７１，第２の平坦部１７２に面接触させる。これにより、器具本体１００の荷重及びモーメントを支えるので、雄ネジ４１０にかかるせん断応力を緩和することができる。したがって、雄ネジ４１０がせん断応力によって切断されることを抑止できる。
【００４５】
また、固定具３００の第１の側板部３１０の両側を階段状に広がるように形成しているので、固定具３００（当接面３１０ａ）は、図２（ｃ）に示すように、電柱などの被取付部２０００に面で接触できるようになり、被取付部２０００への取付性が安定する。
【００４６】
図１３の（ａ），（ｂ）は、当接面３１０ａの他の例を示す。図１３の（ｃ）は、いままで説明した形状である。固定具３００は、図１３（ａ）に示すように当接面３１０ａの形状をＶ字上に折り曲げて形成したり、図１３（ｂ）に示すように、当接面３１０ａに２つの長円形上のエンボスを設けたりしても、先に説明した当接面３１０ａ（図１０（ｃ））と同様の作用効果が得られる。
【符号の説明】
【００４７】
１０００  照明器具、１００１  内部空間、１００  器具本体、１１０−１  周枠部分、１１０  器具本体ケース、１１１  天面、１１１−１  外側表面、１１２  壁部、１１３  凹部、１１３−１  底部、１１３−１ａ  底部表面、１１３−２  平坦部、１１３ｂ  斜面、１１３ｈ  水平面、１１４  固定具取付部、１１５  器具側当接部、１１５ａ  外郭立下部、１１５ａ−１  先端部、１１５ｂ  内側立下部、１１５ｂ−１  先端部、１１６  雄ネジ受け部、１２０  取付金具、１３０  光源モジュールユニット、１３１  絶縁板、１３２  ＬＥＤ基板、１３２−１  実装面、１３２−２  裏面、１３２ａ  ＬＥＤ、１３３  レンズ、１３４  放熱クリップ、１４０  点灯装置ユニット、１４１  点灯装置ケース、１４２  点灯装置基板、１５０  自動点滅ユニット、１５１  自動点滅ユニットカバー、１５２  自動点滅基板、１５３  自動点滅ユニット取付部、１６０  口出し線パッキン、１７１  第１の平坦部、１７２  第２の平坦部、２００  カバー、２００−１  周枠部分、２１０  透光面、２２０  側面、２３０  カバー側当接部、２３０ａ  外郭立上部、２３０ａ−１  先端部、２３０ｂ−１  先端部、２３０ｂ−２  高さ変化部、２３０ｂ  内側立上部、２３０ｃ  底部、２４０  水抜き凸部、２４１  三角凸部、２４２  三角側面、２４３  水抜き穴、３００  固定具、３０２  貫通穴、３０３  貫通穴、３１０  第１の側板部、３２０  第２の側板部、３３０  第３の側板部、３１０ａ  当接面、３２０ａ，３３０ａ  把持面、３２０ｂ，３３０ｂ  端面支持面、３２０−１  端面、３３０−１  端面、４１０  雄ネジ、２０００  被取付部。
【図１】
2014060034.tif 000003
【図２】
2014060034.tif 000004
【図３】
2014060034.tif 000005
【図４】
2014060034.tif 000006
【図５】
2014060034.tif 000007
【図６】
2014060034.tif 000008
【図７】
2014060034.tif 000009
【図８】
2014060034.tif 000010
【図９】
2014060034.tif 000011
【図１０】
2014060034.tif 000012
【図１１】
2014060034.tif 000013
【図１２】
2014060034.tif 000014
【図１３】
2014060034.tif 000015
【図１４】
2014060034.tif 000016
【図１５】
2014060034.tif 000017